(57)【要約】【課題】コストの上昇を抑制しつつ、異常の発生を早期に検知することが可能な画像形成装置及び異常検知方法を提供すること。【解決手段】電流センサー４２は、電源回路４１から複数の内蔵駆動部４３と筐体２０に装着中の一又は複数のオプション駆動部４４とに供給される総電流値を検出する。制御部１７は、電流センサー４２により検出される総電流値が、筐体２０に装着中の前記一又は複数のオプション駆動部４４の組み合わせに応じて設定される閾値を超えている場合に、電源回路４１から内蔵駆動部４３及びオプション駆動部４４への電力供給を遮断する。【選択図】図６
2020110932.tif 000002
【特許請求の範囲】
【請求項１】
電源回路と、
一又は複数のオプション駆動部を装着可能な本体部と、
前記本体部に設けられた複数の内蔵駆動部と、
前記電源回路から前記複数の内蔵駆動部と前記本体部に装着中の前記一又は複数のオプション駆動部とに供給される総電流値を検出する総電流検出部と、
前記総電流検出部により検出される総電流値が、前記本体部に装着中の前記一又は複数のオプション駆動部の組み合わせに応じて設定される閾値を超えている場合に、前記電源回路から前記内蔵駆動部及び前記オプション駆動部への電力供給を遮断する電源遮断部と、
を備える画像形成装置。
【請求項２】
前記オプション駆動部の組み合わせと前記閾値との対応関係を示す閾値情報を記憶する記憶部を更に備え、
前記電源遮断部は、
前記本体部に装着中の前記一又は複数のオプション駆動部からの信号に基づいて、前記本体部に装着中の前記一又は複数のオプション駆動部の組み合わせを判別する判別処理部と、
前記閾値情報に基づいて、前記総電流検出部により検出される総電流値が前記判別処理部により判別される組み合わせに対応する前記閾値を超えている場合に、前記電源回路から前記内蔵駆動部及び前記オプション駆動部への電力供給を遮断する電源制御部とを含む、
請求項１に記載の画像形成装置。
【請求項３】
前記オプション駆動部には、前記オプション駆動部の種類ごとに抵抗値の異なる抵抗器が設けられており、
前記電源遮断部は、前記総電流検出部により検出される総電流値に応じた第１電圧値と、前記本体部に設けられた内蔵抵抗器と前記本体部に装着中の前記一又は複数の前記オプション駆動部に設けられた前記抵抗器とにより分圧される第２電圧値とを比較する比較器を含み、
前記第１電圧値が前記第２電圧値よりも大きいことを示す信号が前記比較器から出力されたことに応じて、前記電源回路から前記内蔵駆動部及び前記オプション駆動部への電力供給が遮断される、
請求項１に記載の画像形成装置。
【請求項４】
電源回路と、一又は複数のオプション駆動部を装着可能な本体部と、前記本体部に設けられた複数の内蔵駆動部と、前記電源回路から前記複数の内蔵駆動部と前記本体部に装着中の前記一又は複数のオプション駆動部とに供給される総電流値を検出する総電流検出部と、前記オプション駆動部の組み合わせと閾値との対応関係を示す閾値情報を記憶する記憶部とを備える画像形成装置における異常検知方法であって、
前記本体部に装着中の前記一又は複数のオプション駆動部からの信号に基づいて、前記本体部に装着中の前記一又は複数のオプション駆動部の組み合わせを判別する判別ステップと、
前記閾値情報に基づいて、前記総電流検出部により検出される総電流値が前記判別ステップで判別される組み合わせに対応する前記閾値を超えている場合に、前記電源回路から前記内蔵駆動部及び前記オプション駆動部への電力供給を遮断する遮断ステップと、
を含む異常検知方法。
【発明の詳細な説明】
【技術分野】
【０００１】
本発明は、画像形成装置及び異常検知方法に関する。
【背景技術】
【０００２】
ポリゴンモータ、ソレノイド、クラッチなどの複数の負荷に供給される電流値を１つの電流検知回路により検出し、前記電流検知回路により検出される電流値に基づいて、これらの負荷の故障診断を行うことが可能なプリンターが知られている（例えば、特許文献１参照）。
【０００３】
前記プリンターでは、各負荷に流れる電流を１つの電流検知回路により検出するので、コストの上昇を抑制することができる。
【先行技術文献】
【特許文献】
【０００４】
【特許文献１】特開２００１−２２８０５６号公報
【発明の概要】
【発明が解決しようとする課題】
【０００５】
前記プリンターにおける故障診断では、第１の判定処理及び第２の判定処理が順次に実行される。前記第１の判定処理では、全ての負荷がオフされた状態で電流値（初期電流値）が検出されて、当該初期電流値が所定値より大きいか否かが判定される。前記第２の判定処理では、各負荷が１つずつ順番に駆動され、その際に検出される電流値が前記初期電流値より増加したか否かが判定される。そして、前記第１の判定処理及び前記第２の判定処理の判定結果に応じて、各負荷の異常が検知される。
【０００６】
すなわち、前記プリンターでは、異常を検知するために前記第１の判定処理及び前記第２の判定処理を実行する必要がある。よって、例えばプリントジョブの実行中にいずれかの負荷に異常が発生したとしても、前記第１の判定処理及び前記第２の判定処理が実行されるまでは異常の発生を検知することができない。
【０００７】
本発明の目的は、コストの上昇を抑制しつつ、異常の発生を早期に検知することが可能な画像形成装置及び異常検知方法を提供することにある。
【課題を解決するための手段】
【０００８】
本発明の一の局面に係る画像形成装置は、電源回路と、本体部と、複数の内蔵駆動部と、総電流検出部と、電源遮断部とを備える。前記本体部には、一又は複数のオプション駆動部を装着可能である。前記内蔵駆動部は、前記本体部に設けられる。前記総電流検出部は、前記電源回路から前記複数の内蔵駆動部と前記本体部に装着中の前記一又は複数のオプション駆動部とに供給される総電流値を検出する。前記電源遮断部は、前記総電流検出部により検出される総電流値が、前記本体部に装着中の前記一又は複数のオプション駆動部の組み合わせに応じて設定される閾値を超えている場合に、前記電源回路から前記内蔵駆動部及び前記オプション駆動部への電力供給を遮断する。
【０００９】
本発明の他の局面に係る異常検知方法は、電源回路と、一又は複数のオプション駆動部を装着可能な本体部と、前記本体部に設けられた複数の内蔵駆動部と、前記電源回路から前記複数の内蔵駆動部と前記本体部に装着中の前記一又は複数のオプション駆動部とに供給される総電流値を検出する総電流検出部と、前記オプション駆動部の組み合わせと閾値との対応関係を示す閾値情報を記憶する記憶部とを備える画像形成装置における異常検知方法である。前記異常検知方法は、判別ステップと、遮断ステップとを含む。前記判別ステップでは、前記本体部に装着中の前記一又は複数のオプション駆動部からの信号に基づいて、前記本体部に装着中の前記一又は複数のオプション駆動部の組み合わせが判別される。前記遮断ステップでは、前記閾値情報に基づいて、前記総電流検出部により検出される総電流値が前記判別ステップで判別される組み合わせに対応する前記閾値を超えている場合に、前記電源回路から前記内蔵駆動部及び前記オプション駆動部への電力供給が遮断される。
【発明の効果】
【００１０】
本発明によれば、コストの上昇を抑制しつつ、異常の発生を早期に検知することが可能な画像形成装置及び異常検知方法が提供される。
【図面の簡単な説明】
【００１１】
【図１】図１は、本発明の第１実施形態に係る画像形成装置の構成を示す図である。
【図２】図２は、本発明の第１実施形態に係る画像形成装置のシステム構成を示すブロック図である。
【図３】図３は、本発明の第１実施形態に係る画像形成装置の構成を示す図である。
【図４】図４は、本発明の第１実施形態に係る画像形成装置で用いられる閾値情報の一例を示す図である。
【図５】図５は、本発明の第１実施形態に係る画像形成装置で用いられる閾値情報の変形例を示す図である。
【図６】図６は、本発明の第１実施形態に係る画像形成装置で実行される異常検知処理の手順の一例を示すフローチャートである。
【図７】図７は、本発明の第２実施形態に係る画像形成装置の構成を示す図である。
【発明を実施するための形態】
【００１２】
以下添付図面を参照しながら、本発明の実施形態について説明し、本発明の理解に供する。なお、以下の実施形態は、本発明を具体化した一例であって、本発明の技術的範囲を限定するものではない。
【００１３】
［第１実施形態］
まず、図１〜図６を参照しつつ、本発明の第１実施形態に係る画像形成装置１について説明する。
【００１４】
図１及び図２に示されるように、本発明の第１実施形態に係る画像形成装置１は、操作表示部１１、ＡＤＦ（Ａｕｔｏ  Ｄｏｃｕｍｅｎｔ  Ｆｅｅｄｅｒ）１２、画像読取部１３、画像形成部１４、通信Ｉ／Ｆ１５、記憶部１６、制御部１７などを備える。具体的に、画像形成装置１は、プリンター機能、スキャナー機能、コピー機能、及びファクシミリ機能などを有する複合機である。なお、本発明は、複合機に限らず、コピー機、プリンター、ファクシミリ装置のような任意の画像形成装置に適用可能である。
【００１５】
操作表示部１１は、情報を表示する液晶ディスプレーなどの表示部と、ユーザー操作を受け付けるタッチパネル及び操作ボタンなどの操作部とを備える。
【００１６】
ＡＤＦ１２は、原稿セット部、搬送ローラー、原稿押さえ、及び排紙部を備え、画像読取部１３の読み取り対象となる原稿を搬送する自動原稿搬送装置である。
【００１７】
画像読取部１３は、原稿台、光源、ミラー、光学レンズ、及びＣＣＤ（Ｃｈａｒｇｅ  Ｃｏｕｐｌｅｄ  Ｄｅｖｉｃｅ）を備え、原稿の画像を読み取って画像データとして出力することが可能である。
【００１８】
画像形成部１４は、電子写真方式又はインクジェット方式で画像データに基づく印刷処理を実行することが可能であり、前記画像データに基づいてシート上に画像を形成する。例えば、画像形成部１４が電子写真方式の画像形成部である場合、画像形成部１４は感光体ドラム、帯電器、露光装置、現像装置、転写装置、及び定着装置などを備える。
【００１９】
通信Ｉ／Ｆ１５は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００２０】
記憶部１６は、ハードディスク又はＥＥＰＲＯＭ（登録商標）などの不揮発性の記憶部である。記憶部１６には、制御部１７によって実行される各種の制御プログラム、及び各種のデータなどが記憶される。また、記憶部１６には、後述の閾値情報Ｄ１（図４）が記憶される。
【００２１】
制御部１７は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００２２】
画像形成装置１は、上下二段に配置された２つの給紙装置２１，３１を備える。上側の給紙装置２１は、画像形成部１４の最下部に筐体２０と一体に設けられている。下側の給紙装置３１は、画像形成部１４の筐体２０の底面にオプションデバイスとして着脱可能に構成された増設タイプのものである。なお、ＡＤＦ１２も、画像形成部１４の筐体２０に着脱可能に構成されたオプションデバイスである。筐体２０は、本発明の本体部の一例である。
【００２３】
画像形成装置１には、モータ、ソレノイド、クラッチ、ファンなど、電源回路４１（図３参照）からの電流が供給される複数の駆動部が設けられている。
【００２４】
ところで、ポリゴンモータ、ソレノイド、クラッチなどの複数の負荷に供給される電流値を１つの電流検知回路により検出し、前記電流検知回路により検出される電流値に基づいて、これらの負荷の故障診断を行うことが可能なプリンターが知られている。前記プリンターでは、各負荷に流れる電流を１つの電流検知回路により検出するので、コストの上昇を抑制することができる。前記プリンターにおける故障診断では、第１の判定処理及び第２の判定処理が順次に実行される。前記第１の判定処理では、全ての負荷がオフされた状態で電流値（初期電流値）が検出されて、当該初期電流値が所定値より大きいか否かが判定される。前記第２の判定処理では、各負荷が１つずつ順番に駆動され、その際に検出される電流値が前記初期電流値より増加したか否かが判定される。そして、前記第１の判定処理及び前記第２の判定処理の判定結果に応じて、各負荷の異常が検知される。すなわち、前記プリンターでは、異常を検知するために前記第１の判定処理及び前記第２の判定処理を実行する必要がある。よって、例えばプリントジョブの実行中にいずれかの負荷に異常が発生したとしても、前記第１の判定処理及び前記第２の判定処理が実行されるまでは異常の発生を検知することができない。これに対して、本実施形態に係る画像形成装置１によれば、コストの上昇を抑制しつつ、異常の発生を早期に検知することが可能である。
【００２５】
図３に示されるように、画像形成装置１は、電源回路４１と、電流センサー４２と、複数の内蔵駆動部４３（具体的には、内蔵駆動部４３Ａ，４３Ｂ，４３Ｃ）と、複数のオプション駆動部４４（具体的には、オプション駆動部４４Ａ，４４Ｂ）とを備える。電流センサー４２は、本発明の総電流検出部の一例である。
【００２６】
電源回路４１は、複数の内蔵駆動部４３及び複数のオプション駆動部４４に対して直流電圧（例えば、＋２４Ｖ）を印加する。これにより、内蔵駆動部４３及びオプション駆動部４４に電源回路４１からの電流が供給される。
【００２７】
内蔵駆動部４３は、筐体２０に設けられたモータ、ソレノイド、クラッチ、ファンなどの駆動部である。なお、図３では３つの内蔵駆動部４３が図示されているが、内蔵駆動部４３の数は３つに限らず、３つ未満又は４つ以上であってもよい。
【００２８】
オプション駆動部４４は、ＡＤＦ１２又は給紙装置３１のように筐体２０に着脱可能に構成されたオプションデバイス（もしくは、当該オプションデバイスに設けられたモータ、ソレノイド、クラッチ、ファンなどの駆動部）である。オプション駆動部４４には、例えば不図示のコネクタを介して、電源回路４１からの電流が供給される。なお、図３は、オプション駆動部４４Ａ及びオプション駆動部４４Ｂの２つのオプション駆動部４４（具体的には、オプション駆動部４４Ａ，４４Ｂ）が筐体２０に装着されている状態を示しているが、筐体２０に装着されるオプション駆動部４４の数及び種類は任意である。例えば、筐体２０にオプション駆動部４４が１つも装着されないこともあり得るし、筐体２０にオプション駆動部４４が１つだけ装着されることもあり得る。また、筐体２０にオプション駆動部４４が３つ以上装着されることもあり得る。
【００２９】
なお、以下では、内蔵駆動部４３及びオプション駆動部４４を特に区別する必要がない場合に、これらを単に「駆動部」と総称することがある。
【００３０】
電流センサー４２は、電源回路４１から複数の駆動部に対して供給される総電流値を検出するためのセンサーである。電流センサー４２は、例えば、電流センサー４２から延びる電源ライン上に設けられた抵抗値の低い抵抗器である。制御部１７には、電流センサー４２により検出される総電流値に応じた電圧のアナログ信号が入力される。
【００３１】
図２に示されるように、制御部１７は、判別処理部１７１及び電源制御部１７２を含む。なお、制御部１７は、前記制御プログラムに従って各種の処理を実行することにより、これらの各処理部として機能する。また、制御部１７は、これらの処理部の一部又は複数の処理機能を実現するＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）のような電子回路を備えるものであってもよい。
【００３２】
判別処理部１７１は、筐体２０に装着中の一又は複数のオプション駆動部４４からの信号に基づいて、筐体２０に装着中の前記一又は複数のオプション駆動部４４の組み合わせを判別する。
【００３３】
電源制御部１７２は、記憶部１６に記憶されている閾値情報Ｄ１（図４）に基づいて、電流センサー４２により検出される総電流値が判別処理部１７１により判別される組み合わせに対応する閾値を超えている場合に、電源回路４１から前記駆動部への電力供給を遮断する。閾値情報Ｄ１は、オプション駆動部４４の組み合わせと閾値との対応関係を示す情報である。
【００３４】
ところで、電流センサー４２により検出される総電流値は、筐体２０に装着されているオプション駆動部４４の組み合わせに応じて変化することがある。そこで、図４に示されるように、閾値情報Ｄ１には、オプション駆動部４４の組み合わせごとに閾値が定められている。これにより、電源制御部１７２は、筐体２０に現在装着されているオプション駆動部４４の組み合わせに応じて、異常（例えば、内蔵駆動部４３又はオプション駆動部４４における短絡など）が生じているか否かを適切に判定して、必要に応じて電源回路４１から前記駆動部への電力供給を遮断することができる。
【００３５】
なお、他の実施形態では、図５に示される閾値情報Ｄ１のように、前記閾値が、オプション駆動部４４の組み合わせに加えて、画像形成装置１の動作状態ごとに予め定められていてもよい。画像形成装置１の動作状態は、例えば、省電力モード中、ウォームアップ中、プリント動作中、スタンバイ中、コピー動作中、スキャン動作中などである。電源回路４１から供給される総電流値は、画像形成装置１の動作状態に応じて変化する。例えば、画像形成装置１の動作状態が省電力モード中である場合は、電源回路４１から供給される総電流値は相対的に小さいが、画像形成装置１の動作状態がウォームアップ中である場合は、定着装置において加熱処理が行われるので、電源回路４１から供給される総電流値は相対的に大きくなる。また、画像形成装置１の動作状態がスキャン動作中の場合は、画像形成部１４による印刷処理は行われないので、電源回路４１から供給される総電流値は相対的に小さいが、画像形成装置１の動作状態がコピー動作中の場合は、画像形成部１４による印刷処理が行われるので、電源回路４１から供給される総電流値は相対的に大きくなる。よって、画像形成装置１の動作状態ごとに前記閾値を変更することによって、電源制御部１７２は、異常（例えば、内蔵駆動部４３又はオプション駆動部４４における短絡など）が生じているか否かを適切に判定することができる。
【００３６】
以上のように、制御部１７は、電流センサー４２により検出される総電流値が、筐体２０に装着中の一又は複数のオプション駆動部４４の組み合わせに応じて設定される閾値を超えている場合に、電源回路４１から内蔵駆動部４３及びオプション駆動部４４への電力供給を遮断する。第１実施形態における制御部１７は、本発明の電源遮断部の一例である。
【００３７】
次に、図６を参照しつつ、制御部１７によって実行される異常検知処理の手順の一例について説明する。ここで、ステップＳ１，Ｓ２，・・・は、制御部１７により実行される処理手順（ステップ）の番号を表している。なお、前記異常検知処理は、例えば、画像形成装置１の電源がオンされたことに応じて開始され、その後、画像形成装置１の電源がオフされたことに応じて終了される。
【００３８】
＜ステップＳ１＞
まず、ステップＳ１において、制御部１７は、筐体２０に装着中の一又は複数のオプション駆動部４４からの信号に基づいて、筐体２０に装着中の前記一又は複数のオプション駆動部４４の組み合わせを判別する。当該ステップＳ１の処理は、制御部１７の判別処理部１７１により実行される。当該ステップＳ１は、本発明の判別ステップの一例である。
【００３９】
＜ステップＳ２＞
ステップＳ２において、制御部１７は、電流センサー４２により検出される総電流値を取得する。
【００４０】
＜ステップＳ３＞
ステップＳ３において、制御部１７は、閾値情報Ｄ１に基づいて、前記ステップＳ２で取得された総電流値が、前記ステップＳ１で判別された組み合わせに対応する閾値以下であるか否かを判断する。そして、前記総電流値が前記閾値以下であると判断されると（Ｓ３：Ｙｅｓ）、処理が前記ステップＳ２に戻る。一方、前記総電流値が前記閾値を超えていると判断されると（Ｓ３：Ｎｏ）、処理がステップＳ４に移行する。
【００４１】
＜ステップＳ４＞
ステップＳ４において、制御部１７は、電源回路４１から前記駆動部への電力供給を遮断する。例えば、制御部１７は、電源回路４１に制御信号を送信することによって、電源回路４１から前記駆動部への電力供給を遮断してもよい。もしくは、制御部１７は、電源回路４１からの電力を前記駆動部に供給する電源ライン上に設けられた電源遮断回路を制御することによって、電源回路４１から前記駆動部への電力供給を遮断してもよい。そして、前記異常検知処理は終了する。当該ステップＳ４の処理は、制御部１７の電源制御部１７２により実行される。当該ステップＳ４は、本発明の遮断ステップの一例である。
【００４２】
以上のように、第１実施形態に係る画像形成装置１では、電流センサー４２により検出される総電流値が、筐体２０に装着中の一又は複数のオプション駆動部４４の組み合わせに応じて設定される閾値を超えている場合に、電源回路４１から内蔵駆動部４３及びオプション駆動部４４への電力供給が遮断される。したがって、例えば、駆動部ごとに個別に電流ヒューズを設けなくても、いずれかの駆動部に短絡などの異常が生じた場合に、駆動部への電力供給を遮断することが可能である。よって、第１実施形態に係る画像形成装置１によれば、コストの上昇を抑制しつつ、異常の発生を早期に検知することが可能である。
【００４３】
［第２実施形態］
次に、図７を参照しつつ、本発明の第２実施形態に係る画像形成装置１について説明する。
【００４４】
図７に示されるように、第２実施形態では、第１実施形態における判別処理部１７１及び電源制御部１７２の代わりに、比較器５０、内蔵抵抗器５１、抵抗器５２が設けられている。その他の構成については第１実施形態と同様であるため、説明を省略する。
【００４５】
第２実施形態では、オプション駆動部４４の各々に、オプション駆動部４４の種類ごとに抵抗値の異なる抵抗器５２が設けられている。例えば、オプション駆動部４４Ａには抵抗器５２Ａが設けられており、オプション駆動部４４Ｂには抵抗器５２Ｂが設けられている。
【００４６】
比較器５０の第１入力端子には、電流センサー４２により検出される総電流値に応じた第１電圧値Ｖ１が入力される。
【００４７】
比較器５０の第２入力端子には、筐体２０に装着中の一又は複数のオプション駆動部４４の組み合わせに応じて電圧値が変化する第２電圧値Ｖ２が入力される。
【００４８】
例えば、筐体２０にオプション駆動部４４が１つも装着されていない場合は、比較器５０の第２入力端子に、筐体２０に設けられた内蔵抵抗器５１Ａと内蔵抵抗器５１Ｂとにより分圧された第２電圧値Ｖ２が入力される。
【００４９】
筐体２０にオプション駆動部４４Ａのみが装着されている場合は、比較器５０の第２入力端子に、筐体２０に設けられた２つの内蔵抵抗器５１とオプション駆動部４４Ａに設けられた抵抗器５２Ａとにより分圧された第２電圧値Ｖ２が入力される。
【００５０】
筐体２０にオプション駆動部４４Ｂのみが装着されている場合は、比較器５０の第２入力端子に、筐体２０に設けられた２つの内蔵抵抗器５１とオプション駆動部４４Ｂに設けられた抵抗器５２Ｂとにより分圧された第２電圧値Ｖ２が入力される。
【００５１】
筐体２０にオプション駆動部４４Ａ及びオプション駆動部４４Ｂが装着されている場合は、比較器５０の第２入力端子に、筐体２０に設けられた２つの内蔵抵抗器５１とオプション駆動部４４Ａに設けられた抵抗器５２Ａとオプション駆動部４４Ｂに設けられた抵抗器５２Ｂとにより分圧された第２電圧値Ｖ２が入力される。
【００５２】
比較器５０の出力端子からは、第１電圧値Ｖ１と第２電圧値Ｖ２との比較結果を示す信号が出力される。当該信号は、電源回路４１から内蔵駆動部４３及びオプション駆動部４４への電力供給を遮断するための電源制御信号として用いられる。具体的に、第１電圧値Ｖ１が第２電圧値Ｖ２よりも大きいことを示す信号が比較器５０から出力されたことに応じて、電源回路４１から内蔵駆動部４３及びオプション駆動部４４への電力供給が遮断される。なお、比較器５０から出力される信号は、図７に示されるように電源回路４１に入力されてもよいし、電源回路４１からの電力を前記駆動部に供給する電源ライン上に設けられた電源遮断回路に入力されてもよい。また、比較器５０から出力される信号が制御部１７に入力されて、当該信号に基づいて制御部１７が電源回路４１又は前記電源遮断回路を制御してもよい。
【００５３】
第２実施形態において比較器５０の第２入力端子に入力される第２電圧値Ｖ２は、第１実施形態における閾値に相当する。すなわち、筐体２０に装着中の一又は複数のオプション駆動部４４の組み合わせに応じて適切な閾値（すなわち、第２電圧値Ｖ２）が設定されるように、内蔵抵抗器５１及び抵抗器５２の各々の抵抗値が予め選定されている。
【００５４】
以上のように、比較器５０は、電流センサー４２により検出される総電流値（すなわち、第１電圧値Ｖ１）が、筐体２０に装着中の一又は複数のオプション駆動部４４の組み合わせに応じて設定される閾値（すなわち、第２電圧値Ｖ２）を超えている場合に、電源回路４１から内蔵駆動部４３及びオプション駆動部４４への電力供給を遮断する。第２実施形態における比較器５０は、本発明の電源遮断部の一例である。
【００５５】
以上のように、第２実施形態に係る画像形成装置１では、電流センサー４２により検出される総電流値（すなわち、第１電圧値Ｖ１）が、筐体２０に装着中の一又は複数のオプション駆動部４４の組み合わせに応じて設定される閾値（すなわち、第２電圧値Ｖ２）を超えている場合に、電源回路４１から内蔵駆動部４３及びオプション駆動部４４への電力供給が遮断される。したがって、例えば、駆動部ごとに個別に電流ヒューズを設けなくても、いずれかの駆動部に短絡などの異常が生じた場合に、駆動部への電力供給を遮断することが可能である。よって、第２実施形態に係る画像形成装置１によれば、コストの上昇を抑制しつつ、異常の発生を早期に検知することが可能である。
【符号の説明】
【００５６】
１  画像形成装置
１１  操作表示部
１２  ＡＤＦ
１３  画像読取部
１４  画像形成部
１５  通信Ｉ／Ｆ
１６  記憶部
１７  制御部
１７１  判別処理部
１７２  電源制御部
２０  筐体
２１  給紙装置
３１  給紙装置
４１  電源回路
４２  電流センサー
４３  内蔵駆動部
４４  オプション駆動部
５０  比較器
５１  内蔵抵抗器
５２  抵抗器
【図１】
2020110932.tif 000003
【図２】
2020110932.tif 000004
【図３】
2020110932.tif 000005
【図４】
2020110932.tif 000006
【図５】
2020110932.tif 000007
【図６】
2020110932.tif 000008
【図７】
2020110932.tif 000009